(57)【特許請求の範囲】
【請求項１】
冊子の表表紙、裏表紙及び背に各々対応する芯材シートと、これら芯材シートを包み込んで冊子を表装する所望の写真画像が表示された表装シートとを有した表紙によって、本文が包まれ、この本文の始面と終面とが上記表表紙側芯材シートと裏表紙側芯材シートの各々に接着されてなる冊子において、上記表表紙側表装シートと裏表紙側表装シートの一方又は双方に窓孔が形成され、所望の写真画像を有する写真シートが、上記窓孔を通して外部から視認可能に上記芯材シートと上記表装シートとの間に挿入されたことを特徴とする冊子。
【請求項２】
請求項１に記載の冊子において、上記窓孔が透明又は半透明の保護シートで遮蔽されたことを特徴とする冊子。
【請求項３】
請求項１に記載の冊子において、上記表表紙側芯材シートと上記裏表紙側芯材シートの一方又は双方に上記窓孔に対応して凹部が形成され、上記写真シートが、上記窓孔を通して外部から視認可能に上記凹部内に挿入されたことを特徴とする冊子。
【発明の詳細な説明】
【技術分野】
【０００１】
本発明は、アルバム等の冊子に関する。
【背景技術】
【０００２】
従来、アルバムとして、現像処理された写真プリントの一辺を接着して冊子状にしたものが知られている。このアルバムは、連続状の印画紙に画像を焼き付けて枚葉状に切断し、全枚葉を積み重ね、その積み重ねた枚葉の背に接着剤を塗布して全枚葉を一体化することによって形成される（例えば、特許文献１参照。）。
【０００３】
また、帳票を集積して、背に糊付けし一体化することにより冊子状にまとめることも知られている（例えば、特許文献２参照。）。
【０００４】
また、冊子の表紙としては、特許文献３〜５に記載されるようなものが知られている。
【先行技術文献】
【特許文献】
【０００５】
【特許文献１】特開平６−２６６０８７号公報
【特許文献２】特開平１０−２１７６３２号公報
【特許文献３】特開２００３−１５９８８３号公報
【特許文献４】特許第３８７８８４３号公報
【特許文献５】実用新案登録第３０７７８２７号公報
【発明の概要】
【発明が解決しようとする課題】
【０００６】
従来の冊子は、枚葉物を積み重ねてそれらの一端や背に接着剤を塗布することで一体化し、この一体化したものを表紙で包んでいるに過ぎないので、書物としては利用価値があるが、アルバムとして利用する場合は興趣に欠けるという問題がある。
【０００７】
従って、本発明は、上記問題点を解決することができる冊子を提供することを目的とする。
【課題を解決するための手段】
【０００８】
上記課題を解決するため、本発明は次のような構成を採用する。
【０００９】
なお、本発明の理解を容易にするため図面の参照符号を括弧書きで付するが、本発明はこれに限定されるものではない。
【００１０】
請求項１に係る発明は、冊子（１）の表表紙、裏表紙及び背に各々対応する芯材シート（６，７，８）と、これら芯材シート（６，７，８）を包み込んで冊子（１）を表装する、所望の写真画像が表示された表装シート（９）とを有した表紙（２）によって、本文（３）が包まれ、この本文（３）の始面と終面とが上記表表紙側芯材シート（６）と裏表紙側芯材シート（７）の各々に接着されてなる冊子において、上記表表紙側表装シート（９ｂ）と裏表紙側表装シート（９ｃ）の一方又は双方に窓孔（１０）が形成され、所望の写真画像を有する写真シート（１２）が、上記窓孔（１０）を通して外部から視認可能に上記芯材シート（６，７）と上記表装シート（９）との間に挿入された冊子を採用する。
【００１１】
請求項２に記載されるように、請求項１に記載の冊子において、上記窓孔（１０）が透明又は半透明の保護シート（１３）で遮蔽されたものとすることも可能である。
【００１２】
請求項３に記載されるように、請求項１に記載の冊子において、上記表表紙側芯材シート（６）と上記裏表紙側芯材シート（７）の一方又は双方に上記窓孔（１０）に対応して凹部（１１）が形成され、上記写真シート（１２）が、上記窓孔（１０）を通して外部から視認可能に上記凹部（１１）内に挿入されたものとすることができる。
【発明の効果】
【００１６】
本発明に係る冊子（１）によれば、冊子（１）を写真で飾ることができ、極めて興趣ある冊子（１）とすることができる。また、表紙（２）を飾る写真を本文（３）の内容を表すものとすることにより、冊子（１）の種類、内容を冊子（１）の外から直ちに認識することが可能である。
【図面の簡単な説明】
【００１７】
【図１】本発明に係る冊子の斜視図である。
【図２】図１中、ＩＩ−ＩＩ線矢視断面図である。
【図３】図１中、ＩＩＩ−ＩＩＩ線矢視断面図である。
【図４】本発明に係る冊子の表紙を示す斜視図である。
【図５】図４中、Ｖ−Ｖ線矢視断面図である。
【図６】図４中、ＶＩ−ＶＩ線矢視断面図である。
【図７】表紙及び冊子の製造工程の概略を示す斜視図である。
【図８】表紙の変形例を示す斜視図である。
【図９】表紙の変形例を示す斜視図である。
【図１０】表紙の変形例を示す斜視図である。
【図１１】表紙の変形例を示す斜視図である。
【発明を実施するための形態】
【００１８】
以下、図面を参照して本発明の実施の形態について説明する。
【００１９】
＜実施の形態１＞
この実施の形態１において、冊子はアルバムとして構成される。
【００２０】
図１乃至図３に示すように、この冊子１は、表紙２とこの表紙２で包まれた本文３とを具備する。
【００２１】
本文３は、印画紙又はこれに類する枚葉紙３ａ，３ｂが複数枚重ね合わされ、重ね合わされたものの一辺が綴じられることによって構成される。枚葉紙３ａは二つ折りされることにより枚葉紙３ｂと略同じ大きさになっている。各枚葉紙３ａ，３ｂには、あらかじめその片面又は両面に写真画像が表示される。写真画像の表示は、例えば昇華転写印刷、インクジェット印刷等によって行うことができる。
【００２２】
枚葉紙３ａ，３ｂの綴じ方式としては、中綴じ、平綴じ等を採用することができ、糸で綴じたり、金具で綴じたり、ホットメルトで綴じたりすることができる。この実施の形態では、ホットメルト４で無線綴じされ、さらに製本シート５で背が包まれている。製本シート５は、接着剤、両面接着テープ、両面接着クッションテープ等によって、枚葉紙３ａ，３ｂの堆積体の背に貼着される。
【００２３】
この実施の形態１では、本文３の両外側は二つ折りの枚葉シート３ａで形成される。このため、表表紙又は裏表紙を開くと、中央で切れていない写真画像が大きく現れることになる。また、見開き状態が保持されやすくなり、写真画像が観察しやすくなる。
【００２４】
表紙２は、図４乃至図６に示すように、冊子１の表表紙、裏表紙及び背に各々対応する芯材シート６，７，８と、これら芯材シート６，７，８を包み込んで冊子１を表装する、所望の写真画像が表示された表装シート９とを有する。
【００２５】
表表紙側芯材シート６と裏表紙側芯材シート７は、各々表表紙と裏表紙に略等しい大きさにボール紙等によって形成される。ただし、表表紙側芯材シート６と裏表紙側芯材シート７の背に隣接する箇所は、後の製本段階における銀杏付けのために背側芯材シート８から少しばかり離れるように形成される。
【００２６】
背側芯材シート８は、冊子１の背と略同じ大きさにボール紙等によって形成される。
【００２７】
表装シート９は、上記本文３の枚葉紙３ａ，３ｂと同様な枚葉紙で形成され、その外面には写真画像が本文３におけると同様にして表示される。表装シート９は、冊子１の表表紙、裏表紙及び背を合わせた面積よりも大きい面積に形成され、上記表表紙側芯材シート６、裏表紙側芯材シート７及び背側芯材シート８から外周へと食み出た部分が折込部９ａとして内側へ折り込まれ、表表紙側芯材シート６、裏表紙側芯材シート７及び背側芯材シート８の内面に接着剤、両面接着テープ、両面接着クッションテープ等によって貼着される。
【００２８】
図１、図３、図４及び図６に示すように、上記表表紙側表装シート９ｂと裏表紙側表装シート９ｃには各々窓孔１０が打ち抜き、切り抜き等によって形成される。窓孔１０は、表表紙側表装シート９ｂ又は裏表紙側表装シート９ｃの一方にのみ形成してもよい。図示例では、窓孔１０は表表紙側表装シート９ｂ又は裏表紙側表装シート９ｃの各々に一個ずつ設けられるが、複数個ずつ設けることも可能である。また、窓孔１０の形状は長方形であるが、その他の形状とすることも可能である。窓孔１０を設ける位置も表表紙側表装シート９ｂ又は裏表紙側表装シート９ｃの中央に限らず、周縁側に偏った位置に設けることも可能である。
【００２９】
なお、窓孔１０は必要に応じて背側表装シート９ｄに増設することも可能である。
【００３０】
表表紙側芯材シート９ｂと裏表紙側芯材シート９ｃには、上記窓孔１０に対応して凹部１１が形成される。凹部１１は、プレス、ミリング等により、窓孔１０よりも大きい面積で後述の写真シート１２を形成する枚葉紙の厚さと同程度又はやや大きい深さで形成される。
【００３１】
凹部１１内には、所望の写真画像を有する写真シート１２が、上記窓孔１０を通して表紙２の外部から視認可能に挿入される。写真シート１２は、凹部１１の面積及び深さと同程度の大きさ及び厚さの枚葉シートであり、その表面に上記印刷と同様にして写真画像が表示される。この写真画像が上記窓孔１０を通して表紙２の外部から視認可能になる。この凹部１１の存在によって、写真シート１２による表装シート９の盛り上がりが防止される。また、写真シート１２の表紙内での位置決めが容易になる。
【００３２】
なお、凹部１１は省略することも可能である。例えば、写真シート１２が薄い場合には表装シート９の盛り上がりが目立たないので凹部１１は設けなくてもよい。
【００３３】
図２及び図３に示すように、上記表紙２によって、上記本文３が包まれ、この本文３の始面と終面とが上記表表紙側芯材シート６、裏表紙側芯材シート７、表装シート９の折込部９ａに接着されて冊子１とされる。
【００３４】
本文３の始面及び終面と表表紙側芯材シート６及び裏表紙側芯材シート７との接着には、この実施の形態１では接着剤９ｇが用いられるが、その他両面接着テープ、両面接着クッションテープ等を用いることも可能である。
【００３５】
また、この実施の形態１では、本文３の背も背側芯材シート８に接着剤９ｇで接着されているが、この接着は省略可能である。
【００３６】
また、図３及び図６に示すように、必要に応じて、透明又は半透明の樹脂製の保護シート１３が、表表紙側表装シート９ｂと裏表紙側表装シート９ｃの各窓孔１０を表紙２の内側から遮蔽するように設けられる。具体的には、保護シート１３はその周縁部が表表紙側表装シート９ｂと表表紙側芯材シート６との間、及び裏表紙側表装シート９ｃと裏表紙側芯材シート７との間に挟まれるように貼着される。上記凹部１１内に挿入された写真シート１２が、この保護シート１３によって保護されることとなる。
【００３７】
次に、上記構成の冊子及び表紙の製造方法について説明する。
【００３８】
（１）所望の写真画像が所望の印刷方式により表面に印刷された表装シート９の原紙９ｅが、図７（Ａ）に示すように用意される。この表装シート９の原紙９ｅが一方向に送られる。
図７（Ｂ）に示すように、この送られた表装シート９の原紙９ｅの表表紙と裏表紙に対応する箇所に、窓孔１０が打ち抜きによって形成される。
また、表装シート９の原紙９ｅの四隅が、後の折り込みを円滑に行うことができるように、窓孔１０の打ち抜きと同時に切り落とされる。
【００３９】
（２）図７（Ｃ）に示すように、表装シート９の内面に、窓孔１０を塞ぐように保護シート１３が貼着される。
【００４０】
（３）図７（Ｄ）に示すように、写真シート１２がその原紙１２ａから切り抜かれ、表装シート９の内面に貼着される。表装シート９又は保護シート１３の内面には、窓孔１０の周囲に沿って接着剤がスポット状に塗布される。写真シート１２は、その周縁部が窓孔１０の周りのスポット状接着剤によって表装シート９に貼着されることで、表装シート９の裏面に仮止めされる。
【００４１】
（４）図７（Ｅ）に示すように、走行する表装シート９及び写真シート１２の内面に糊ローラ１４によって接着剤が塗布される。
【００４２】
（５）図７（Ｆ）に示すように、あらかじめ形成された表表紙側芯材シート６、裏表紙側芯材シート７及び背側芯材シート８の各々が、表装シート９及び写真シート１２における接着剤が塗布された内面に貼着される。その際、写真シート１２は表表紙側芯材シート６及び裏表紙側芯材シート７の各凹部１１内に入り込む。そして、表装シート９、写真シート１２、表表紙側芯材シート６、裏表紙側芯材シート７及び背側芯材シート８が、加圧ローラ１５によって加圧され、図７（Ｇ）に示すように、一体化された状態で送り出される。
【００４３】
（６）図７（Ｈ）（Ｉ）に示すように、表装シート９における表表紙側芯材シート６、裏表紙側芯材シート７及び背側芯材シート８から食み出した部分が折込部９ａとして表表紙側芯材シート６、裏表紙側芯材シート７及び背側芯材シート８の背面へと折り込まれて接着される。この接着のための接着剤は上記図７（Ｅ）の工程ですでに塗布されている。また、折込部９ａの折り込みは、ローラ１６，１７を表装シート９の表面側から裏面側へと円弧状の軌跡を描くように移動させることによって行うことができる。
この図７（Ｉ）の工程を終えた段階で表紙２が完成する。
【００４４】
（７）完成した表紙２の内面に、図７（Ｅ）の工程におけると同様な糊ローラ（図示せず）によって、接着剤９ｇ（図２，３参照）が塗布される。
そして、図７（Ｊ）に示すように、本文３の背が表紙２の背に当たるように、本文３が表紙２へと供給される。これにより、本文３の背が表紙２の背の内面に接着剤９ｇで接着される。
なお、本文３は、表紙２の製造とは別工程で丁合され一体化される。この本文の製法については既に説明した。
本文３が表紙２へと供給され背同士が接着されると、ローラ１８が表装シート９の表面側から裏面側へと円弧状の軌跡を描くように移動する。これにより、表紙２の表表紙と裏表紙とが背との境界を中心にして折られ、表紙２の内面である表表紙側芯材シート６、裏表紙側芯材シート７及び折込部９ａが、本文３の枚葉紙３ａにおける始面と終面とに各々接着剤９ｇで接着される。
また、この接着と同時に加圧バー１９が表紙２の表表紙と裏表紙とをそれらの背に沿うように加圧することで、銀杏付けが行われ、図１乃至図３に示すような溝９ｆが表紙２に形成される。
かくて、表面が表装シート９で表装され、写真シート１２によって装飾された冊子１がアルバムとして完成する。
【００４５】
（８）この冊子１を入手した者は、表紙２の窓孔１０から覗く写真シート１２の写真画像を見ることによって冊子１の内容を速やかに知ることができる。そして、表表紙又は裏表紙を開くことによって、枚葉紙３ａの見開きで大きい写真画像を見ることができ、また、他のページを開くことで他の写真画像を見ることができる。
【００４６】
＜実施の形態２＞
図８に示すように、この実施の形態２における表紙２では、実施の形態１とは異なり、表表紙にのみ窓孔１０が形成される。
【００４７】
また、表表紙側芯材シート６に形成される凹部１１は天側へと貫通している。これにより、写真シート１２は天側から凹部１１内に挿入可能となる。
【００４８】
なお、実施の形態２において実施の形態１における部分と同じ部分には同一符号を用いて示し重複した説明を省略する。
【００４９】
＜実施の形態３＞
図９に示すように、この実施の形態３における表紙２では、実施の形態２とは異なり、表表紙側芯材シート６に形成される凹部１１が、凹状の枠材６ｂを長方形のシート材６ａに貼着することによって形成される。
【００５０】
なお、実施の形態３において実施の形態２における部分と同じ部分には同一符号を用いて示し重複した説明を省略する。
＜実施の形態４＞
図１０に示すように、この実施の形態４における表紙２では、実施の形態１〜３と異なり、四角形の窓孔１０に代えて楕円形の窓孔１０ａが設けられている。
【００５１】
この楕円形の窓孔１０ａに加えて、さらに四角形の窓孔を他の部位に設けることも可能である。
【００５２】
なお、実施の形態４において実施の形態１〜３における部分と同じ部分には同一符号を用いて示し重複した説明を省略する。
【００５３】
＜実施の形態５＞
図１１に示すように、この実施の形態５における表紙２では、実施の形態４と異なり、楕円形の窓孔１０ａに代えて八角形の窓孔１０ｂが設けられている。
【００５４】
この八角形の窓孔１０ｂに加えて、さらに四角形の窓孔１０等、他の形状の窓孔を設けることも可能である。
【００５５】
この実施の形態５において実施の形態４における部分と同じ部分には同一符号を用いて示し重複した説明を省略する。
【００５６】
なお、本発明は上記実施の形態に限定されるものではなく、本発明の要旨の範囲内において種々変更可能である。例えば、実施の形態では冊子をアルバムとして説明したが、本発明によれば絵本、カタログ等とすることもできる。
【符号の説明】
【００５７】
１…冊子
２…表紙
３…本文
６…表表紙側芯材シート
７…裏表紙側芯材シート
８…背側芯材シート
９…表装シート
９ｂ…表表紙側表装シート
９ｃ…裏表紙側表装シート
１０…窓孔
１１…凹部
１２…写真シート
１３…保護シート
【図１】
0005472600.tif 000002
【図２】
0005472600.tif 000003
【図３】
0005472600.tif 000004
【図４】
0005472600.tif 000005
【図５】
0005472600.tif 000006
【図６】
0005472600.tif 000007
【図７】
0005472600.tif 000008
【図８】
0005472600.tif 000009
【図９】
0005472600.tif 000010
【図１０】
0005472600.tif 000011
【図１１】
0005472600.tif 000012